(57)【要約】【課題】規格を超える環境変化が生じたことを検知する磁気テープカートリッジの提供。【解決手段】直方体の一側面を磁気テープ記録再生機構に挿入し、内部の磁気テープをリーダピンアッセンブリを用いて引き出す磁気テープカートリッジ１０であって、前記直方体の一側面と対向する側面に、温度が１０°Ｃ〜４５°Ｃの範囲外で変色する特性をもつ温度検知マーカ２１と、結露により変色する結露検知マーカ２２と、所定値以上の衝撃が加えられたときに変色する衝撃検知マーカ２３とを貼付したもの。この磁気テープカートリッジ１０は更に保管時用の規定温度１６°Ｃ〜３２°Ｃの範囲外で変色する保管時用の第２の温度検知マーカを貼付けても良い。【選択図】図１
2009076118.tif 000002
【特許請求の範囲】
【請求項１】
直方体の一側面を磁気テープ記録再生機構に挿入し、内部の磁気テープをリーダピンアッセンブリを用いて引き出す磁気テープカートリッジであって、
前記一側面と対向する側面に、温度変化により変色する特性をもつ温度検知マーカと、結露により変色する結露検知マーカと、所定値以上の衝撃が加えられたときに変色する衝撃検知マーカとを貼付した磁気テープカートリッジ。
【請求項２】
前記温度検知マーカと結露検知マーカと衝撃検知マーカが、所定の色から他の色に変化した後、前記所定の色に戻らない不可逆性の変色特性をもつ請求項１記載の磁気テープカートリッジ。
【請求項３】
前記温度検知マーカが、温度が１０°Ｃ〜４５°Ｃの範囲外の温度に達したときに所定の色から他の色に変化する特性をもつ請求項１又は２記載の磁気テープカートリッジ。
【請求項４】
温度が１６°Ｃ〜３２°Ｃの範囲外の温度に達したときに所定の色から他の色に変化する特性をもつ保管時用の第２の温度検知マーカを貼付けた請求項１から３何れかに記載の磁気テープカートリッジ。
【発明の詳細な説明】
【技術分野】
【０００１】
本発明は、単リールの磁気テープを収納する磁気テープカートリッジに係り、特に所定値を超える温度及び衝撃と結露とを検知することができる磁気テープカートリッジに関する。
【背景技術】
【０００２】
近年のコンピュータシステムは、データ容量の増大に伴い、ホストコンピュータに蓄積したデータを外部のバックアップ用記憶装置にバックアップを行うことが行われており、このバックアップ用記憶装置としては、ビット単価が安価であり且つ記憶媒体交換が容易な磁気テープ記憶装置が採用されている。この磁気テープ記憶装置の記憶媒体としては、近年、１２．７ｍｍ幅／３８４トラックの単リールの磁気テープを格納した磁気テープカートリッジが日本工業規格により「ＪＩＳ−Ｘ６１７５」として規格化されている。
【０００３】
この磁気テープカートリッジは、リーダピンアッセンブリが付いたリーダテープ及び磁気テープと、該磁気テープが巻かれたシングル供給リールと、これらを一体的に収納するケースとから構成され、外形状が、幅１０５．４０ｍｍ±０．３０ｍｍ、長さ１０２．００ｍｍ±０．３０ｍｍ、高さ２１．５０ｍｍ±０．２５ｍｍ寸法に規定されている。
【０００４】
またこの磁気テープカートリッジは、前記規格により、使用時条件として、温度が１０°Ｃ〜４５°Ｃ、相対湿度が１０％〜８０％、保管時条件として、温度が１６°Ｃ〜３２°Ｃ、相対湿度が２０％〜８０％、更に周囲及び内部が結露してはならない事や、周囲磁場を４０００Ａ／ｍ（アンペア毎メートル）以下にしなければならないことが規定されている。また磁気テープは、ポリエチレン等のペース材料に強磁性体を含む磁性層を塗布した構造であり、強い衝撃が与えられた場合、磁性層の強磁性体が移動するため、衝撃を与えてはならないことが知られており、前記規格においても磁気テープカーリッジを１ｍを超える高さから落下させてはならないこと、輸送時においては衝撃吸収材を使用することが定められている。
【０００５】
尚、前記交換式の磁気テープカートリッジに関する技術が記載された文献としては、例えば下記特許文献が挙げられ、特許文献１には、磁気テープカートリッジがテープドライブに装填されるときのギヤ歯の噛合技術が記載され、特許文献２には、外部に露出するテープリールに当該磁気テープカートリッジの製造履歴データ及び特性データを２次元バーコードを貼り付ける技術が記載されている。
【特許文献１】特開２００７−９５１９４号公報
【特許文献２】特開２００７−２６６３５号公報
【発明の開示】
【発明が解決しようとする課題】
【０００６】
前述の如く磁気テープカートリッジは、使用時及び保管時の温度条件／結露条件／衝撃条件が定められているものであるが、保守員が磁気テープカートッジを検査する際には以前に当該磁気テープカートリッジが前記規格を超える温度又は結露にさらされたか否かや、例えば作業員が誤って落下させたことにより所定値以上の衝撃が加えられたか否かを判断することができず、磁気テープカートリッジに記録したバックアップデータが再生することができない可能性があると言う不具合があった。
【０００７】
本発明の目的は、磁気テープカードに所定条件を超える温度と結露と衝撃とが加えられたか否かを容易に識別することができる磁気テープカートリッジを提供することである。
【課題を解決するための手段】
【０００８】
前記目的を達成するため本発明は、直方体の一側面を磁気テープ記録再生機構に挿入し、内部の磁気テープをリーダピンアッセンブリを用いて引き出す磁気テープカートリッジであって、前記一側面と対向する側面に、温度変化により変色する特性をもつ温度検知マーカと、結露により変色する結露検知マーカと、所定値以上の衝撃が加えられたときに変色する衝撃検知マーカとを貼付したことを第１の特徴とする。
【０００９】
また本発明は、前記第１の特徴の磁気テープカートリッジにおいて、前記温度検知マーカと結露検知マーカと衝撃検知マーカが、所定の色から他の色に変化した後、前記所定の色に戻らない不可逆性の変色特性をもつことを第２の特徴とする。
【００１０】
本発明は、前記何れかの特徴の磁気テープカートリッジにおいて、前記温度検知マーカが、温度が１０°Ｃ〜４５°Ｃの範囲外の温度に達したときに所定の色から他の色に変化する特性をもつことを第３の特徴とする。
【００１１】
また本発明は、前記何れかの特徴の磁気テープカートリッジにおいて、温度が１６°Ｃ〜３２°Ｃの範囲外の温度に達したときに所定の色から他の色に変化する特性をもつ保管時用の第２の温度検知マーカを更に貼付けたことを第４の特徴とする。
【発明の効果】
【００１２】
本発明による磁気テープカートリッジは、磁気テープを引き出す一側面と対向する側面に、不可逆性の色変化を行う温度検知マーカと結露検知マーカと衝撃検知マーカとを貼付したことによって、磁気テープカードリッジが規格を超える温度変化や衝撃や結露が生じたとき、これら環境変化があったことを保守員に容易に知らしめることができる。
【発明を実施するための最良の形態】
【００１３】
以下、本発明の一実施形態による磁気テープカートリッジを図１を参照して詳細に説明する。
本実施形態による磁気テープカートリッジ１０は、磁気テープを外部に導くためのリーダピンアッセンブリが付いたリーダテープ（図示せず）と、該リーダテープと接続され、１２．７ｍｍ幅／３８４トラックの磁気テープ（図示せず）と、この磁気テープ等を巻成して収納するケースとから構成され、外形状が、幅が約１０５．４０ｍｍ、長さ（奥行）が約１０２．００ｍｍ、高さが約２１．５０ｍｍに規定されている。尚、前記リーダピンアッセンブリは図１に示すカートリッジの左側面手前側に配置されている。
【００１４】
この磁気テープカートリッジ１０は、図に示す挿入方向指示マーカ２５が示す方向に磁気テープ記録再生機構に後端面が露出した状態に挿入され、この挿入された状態において磁気テープ記録再生機構が前記リーダピンアッセンブリを引き出して記録再生機構の磁気ヘッドに磁気テープを導き、磁気テープを磁気ヘッド上に走行させることによってデータの記録再生が行われる。
【００１５】
本実施形態による磁気テープカートリッジ１０は、前記磁気テープ記録再生機構に挿入された際の後側面に、この磁気テープカートリッジ１０に一意に付与されたユニークな識別番号や磁気テープの製造履歴等を記録したバーコードブレート１２と、磁気テープカートリッジの周囲温度変化により変色する特性をもつ温度検知マーカ２１と、磁気テープカートリッジの周囲に結露ができたときに変色する結露検知マーカ２２と、磁気テープカートリッジに所定値以上の衝撃が加えられたときに変色する衝撃検知マーカ２３とが貼り付けられている。
【００１６】
前記温度検知マーカ２１は、例えば周囲温度が温度が１０°Ｃ〜４５°Ｃの範囲外の温度に達したときに所定の色から他の色（例えば赤色）に変化し、元の色に戻らない不可逆性の化学物質を使用した温度ラベルであり、例えば株式会社ＫＮラボラトリーズが製造するサーモデマンド（登録商標）が使用でき、同様に前記結露検知マーカ２２は、周囲温度の低下により結露が発生したときに所定の色から他の色（例えば赤色）に変化し、基に色に戻らない不可逆性の結露インジケータが使用できる。
【００１７】
この温度検知マーカ２１は、所定温度以上又は以下の場合に変色する１つの化学物質を用いることや、所定温度（４５°Ｃ）以上において変色する化学物質と所定温度（１０°Ｃ）以下において変色する材料の２つの化学物質を用い、高温になったか低温になったかを表示するようにしても良い。また日本工業規格により規定された保管時の温度が１６°Ｃ〜３２°Ｃ外の温度に達したときに不可逆性に変色する保管時用の第２の温度検知マーカを更に貼付けても良い。
【００１８】
前記衝撃検知マーカ２３は、所定値以上の衝撃が加えられたときに所定の色から他の色（例えば赤色）に変化し、元の色に戻らない不可逆性の衝撃検知ラベルであり、例えばメディアリカバリー（Media Recovery）社製造のショックウォッチ（登録商標）が好適である。
【００１９】
この様に構成された磁気テープカートリッジ１０は、例えば周囲温度が１０°Ｃ以下、又は４５°Ｃ以上になったときに温度検知マーカ２１が変色し、結露が生じる環境下におかれたときには前記結露検知マーカ２２が変色し、所定値以上の衝撃が加えられたときに衝撃検知マーカ２３が変色することによって、保守員が磁気テープカートリッジ１０の後面の前記マーカ２１〜２３の色を目視にて確認することによって、磁気テープカートリッジ１０が保存及び使用条件を超える環境下にあったことを知ることができ、これによって磁気テープカートリッジの移送保管状態や稼動状態の環境を再構築することや、磁気テープカートリッジ１０からデータが消失しないようにデータ再生を行うこともできる。
【００２０】
特に本実施形態による磁気テープカートリッジ１０は、温度検知マーカ２１と結露検知マーカ２２と衝撃検知マーカ２３とをカートリッジ後端に貼付けているため、磁気テープ記録再生機構にカートリッジが装填されている状態においても前記各マーカ２１〜２３の変色を目視にて確認することができる。
【図面の簡単な説明】
【００２１】
【図１】本発明の一実施形態による磁気テープカートリッジの外観図。
【符号の説明】
【００２２】
１０：磁気テープカートリッジ、１２：バーコードブレート、２１：温度検知マーカ、２２：結露検知マーカ、２３：衝撃検知マーカ、２５：挿入方向指示マーカ。
【図１】
2009076118.tif 000003